(57)【要約】【課題】  電子アルバムの作成時におけるコメント情報の入力の手間を省くことができるアルバム作成支援装置、アルバム作成支援方法及びアルバム作成支援プログラムを提供する。【解決手段】  アルバム作成支援装置１０は、撮影によって得られた画像情報と当該画像情報により示される被写体像に関するコメント情報を含む電子化画像ファイルを予め外部メモリ２６により記憶しておき、前記電子化画像ファイルに含まれる画像情報により示される被写体像が電子的に貼り付けられる電子アルバムの編集用画面を表示部２０Ｅにより表示し、前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように表示部２０Ｅを制御する。【選択図】        図１
2007102703.tif 000002
【特許請求の範囲】
【請求項１】
撮影によって得られた画像情報と当該画像情報により示される被写体像に関するコメント情報を含む電子化画像ファイルが予め記憶された記憶手段と、
前記電子化画像ファイルに含まれる画像情報により示される被写体像が電子的に貼り付けられる電子アルバムの編集用画面を表示する表示手段と、
前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御する制御手段と、
を備えたアルバム作成支援装置。
【請求項２】
前記制御手段は、前記被写体像の表示サイズが大きくなるほど前記コメント情報の表示サイズを大きくするサイズ可変モードと、前記被写体像の表示サイズにかかわらず前記コメント情報の表示サイズを予め定められたサイズで一定とするサイズ固定モードの何れか一方を選択的に適用して前記被写体像及び前記コメント情報を表示するように前記表示手段を制御する、
請求項１記載のアルバム作成支援装置。
【請求項３】
前記サイズ可変モードと前記サイズ固定モードの何れを適用するかを示す選択情報を入力する入力手段を更に備え、
前記制御手段は、前記入力手段によって入力された選択情報により示されるモードを適用して前記被写体像及び前記コメント情報を表示するように前記表示手段を制御する、
請求項２記載のアルバム作成支援装置。
【請求項４】
前記入力手段は、前記表示手段により表示されたコメント情報に対する変更指示を更に入力し、
前記制御手段は、前記コメント情報を前記変更指示に応じて変更して表示するように前記表示手段を制御する、
請求項３記載のアルバム作成支援装置。
【請求項５】
前記変更指示による変更対象を、前記コメント情報のフォントサイズ、前記コメント情報の表示色、及び前記コメント情報の表示サイズの少なくとも１つとした、
請求項４記載のアルバム作成支援装置。
【請求項６】
撮影によって得られた画像情報と当該画像情報により示される被写体像に関するコメント情報を含む電子化画像ファイルを予め記憶手段により記憶しておき、
前記電子化画像ファイルに含まれる画像情報により示される被写体像が電子的に貼り付けられる電子アルバムの編集用画面を表示手段により表示し、
前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御する、
アルバム作成支援方法。
【請求項７】
撮影によって得られた画像情報と当該画像情報により示される被写体像に関するコメント情報を含む電子化画像ファイルを用いた電子アルバムの作成を支援するアルバム作成支援プログラムであって、
前記電子化画像ファイルに含まれる画像情報により示される被写体像が電子的に貼り付けられる電子アルバムの編集用画面を表示手段により表示する表示ステップと、
前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御する制御ステップと、
をコンピュータに実行させるアルバム作成支援プログラム。
【発明の詳細な説明】
【技術分野】
【０００１】
本発明は、アルバム作成支援装置、アルバム作成支援方法及びアルバム作成支援プログラムに係り、特に、電子アルバムの作成を支援するアルバム作成支援装置、アルバム作成支援方法及びアルバム作成支援プログラムに関する。
【背景技術】
【０００２】
従来より、銀塩カメラによって撮像された被写体像が露光された写真フイルムを現像する所謂ミニラボ店（以下、「ラボ」と称す。）が各地に設けられており、これらのラボではフイルムの現像と、顧客の注文に応じた写真プリントの作成とを一体化したプリントサービス等を提供している。また、現像したフイルムや作成された写真プリントをスキャナで光学的に読み取ることにより取得した画像データや、デジタルカメラ等で撮影され電子的に記録された写真画像データにより示される被写体像の写真プリントを顧客の注文に応じて作成するサービスも提供している。
【０００３】
また、近年では、ＣＤ−ＲＯＭ等の記憶媒体や、インターネット等のネットワークを介して、写真画像データにより示される被写体像により電子的なアルバム（電子アルバム）を作成するためのアルバム作成ソフトも提供されている。
【０００４】
この種のアルバム作成ソフトには、被写体像を電子アルバムに貼り付ける際に、ユーザによって入力された当該被写体像に関するコメント情報を利用して各種機能を提供するものもあり、これに関する技術として、例えば、特許文献１には、被写体像を電子アルバムに保存する際に当該被写体像に関するコメント情報を入力させることにより、電子アルバム上に被写体と共にコメント情報を表示させる技術が開示されている。
【特許文献１】特開２００３−１６７６９２公報
【発明の開示】
【発明が解決しようとする課題】
【０００５】
しかしながら、上記特許文献１に開示されている技術では、アルバム作成時に被写体像に関するコメント情報を入力する必要があり、手間がかかる、という問題点があった。
【０００６】
本発明は、上記問題点を解決するためになされたものであり、電子アルバムの作成時におけるコメント情報の入力の手間を省くことができるアルバム作成支援装置、アルバム作成支援方法及びアルバム作成支援プログラムを提供することを目的とする。
【課題を解決するための手段】
【０００７】
上記目的を達成するために、請求項１記載のアルバム作成支援装置は、撮影によって得られた画像情報と当該画像情報により示される被写体像に関するコメント情報を含む電子化画像ファイルが予め記憶された記憶手段と、前記電子化画像ファイルに含まれる画像情報により示される被写体像が電子的に貼り付けられる電子アルバムの編集用画面を表示する表示手段と、前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御する制御手段と、を備えている。
【０００８】
請求項１記載のアルバム作成支援装置によれば、撮影によって得られた画像情報と当該画像情報により示される被写体像に関するコメント情報を含む電子化画像ファイルが予め記憶手段により記憶される。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマートメディア（登録商標）、フレキシブルディスク等の可搬型の記録媒体やハードディスク等の固定型の記録媒体、或いはネットワークに接続されたサーバコンピュータ等に設けられた外部記憶装置が含まれる。また、上記電子化画像ファイルには、Ｅｘｉｆ（Exchangeable Image File Format）規格による画像ファイルが含まれる。
【０００９】
ここで、本発明では、前記電子化画像ファイルに含まれる画像情報により示される被写体像が電子的に貼り付けられる電子アルバムの編集用画面が表示手段により表示される一方、制御手段により、前記編集用画面に前記被写体像が表示されると共に、当該被写体像を示す前記画像情報と共に前記電子化画像ファイルに含まれている前記コメント情報が当該被写体像とは異なる位置で、かつ当該被写体像の近傍に表示されるように前記表示手段が制御される。なお、上記表示手段には、液晶ディスプレイ、有機ＥＬディスプレイ、プラズマディスプレイ、ＣＲＴディスプレイ等のディスプレイが含まれる。
【００１０】
すなわち、本発明では、電子化画像ファイルに予め含まれているコメント情報を利用して、当該コメント情報を自動的に表示することにより、当該コメント情報の入力の手間を省くようにしている。
【００１１】
このように、請求項１に記載のアルバム作成支援装置によれば、撮影によって得られた画像情報と当該画像情報により示される被写体像に関するコメント情報を含む電子化画像ファイルを予め記憶手段により記憶しておき、前記電子化画像ファイルに含まれる画像情報により示される被写体像が電子的に貼り付けられる電子アルバムの編集用画面を表示手段により表示し、前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御しているので、電子アルバムの作成時におけるコメント情報の入力の手間を省くことができる。
【００１２】
なお、請求項１に記載の発明の前記制御手段は、請求項２に記載の発明のように、前記被写体像の表示サイズが大きくなるほど前記コメント情報の表示サイズを大きくするサイズ可変モードと、前記被写体像の表示サイズにかかわらず前記コメント情報の表示サイズを予め定められたサイズで一定とするサイズ固定モードの何れか一方を選択的に適用して前記被写体像及び前記コメント情報を表示するように前記表示手段を制御するものとしてもよい。
【００１３】
特に、請求項２に記載の発明は、請求項３に記載の発明のように、前記サイズ可変モードと前記サイズ固定モードの何れを適用するかを示す選択情報を入力する入力手段を更に備え、前記制御手段は、前記入力手段によって入力された選択情報により示されるモードを適用して前記被写体像及び前記コメント情報を表示するように前記表示手段を制御するものとしてもよい。なお、上記入力手段には、キーボード、マウス（ポインティングデバイス）等の入力手段による入力の他、ＬＡＮ、インターネット等の通信回線を介した外部装置からの入力も含まれる。
【００１４】
また、請求項３に記載の発明は、請求項４に記載の発明のように、前記入力手段は、前記表示手段により表示されたコメント情報に対する変更指示を更に入力し、前記制御手段は、前記コメント情報を前記変更指示に応じて変更して表示するように前記表示手段を制御するものとしてもよい。
【００１５】
また、請求項４に記載の発明は、請求項５に記載の発明のように、前記変更指示による変更対象を、前記コメント情報のフォントサイズ、前記コメント情報の表示色、及び前記コメント情報の表示サイズの少なくとも１つとしてもよい。
【００１６】
一方、上記目的を達成するために、請求項６に記載のアルバム作成支援方法は、撮影によって得られた画像情報と当該画像情報により示される被写体像に関するコメント情報を含む電子化画像ファイルを予め記憶手段により記憶しておき、前記電子化画像ファイルに含まれる画像情報により示される被写体像が電子的に貼り付けられる電子アルバムの編集用画面を表示手段により表示し、前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御するものである。
【００１７】
従って、請求項６に記載のアルバム作成支援方法は、請求項１に記載の発明と同様に作用するので、請求項１に記載の発明と同様に、電子アルバムの作成時におけるコメント情報の入力の手間を省くことができる。
【００１８】
一方、上記目的を達成するために、請求項７に記載のアルバム作成支援プログラムは、撮影によって得られた画像情報と当該画像情報により示される被写体像に関するコメント情報を含む電子化画像ファイルを用いた電子アルバムの作成を支援するアルバム作成支援プログラムであって、前記電子化画像ファイルに含まれる画像情報により示される被写体像が電子的に貼り付けられる電子アルバムの編集用画面を表示手段により表示する表示ステップと、前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御する制御ステップと、をコンピュータに実行させるものである。
【００１９】
従って、請求項７に記載のアルバム作成支援プログラムによれば、コンピュータに対して請求項１に記載の発明と同様に作用させることができるので、請求項１に記載の発明と同様に、電子アルバムの作成時におけるコメント情報の入力の手間を省くことができる。
【発明の効果】
【００２０】
本発明によれば、撮影によって得られた画像情報と当該画像情報により示される被写体像に関するコメント情報を含む電子化画像ファイルを予め記憶手段により記憶しておき、前記電子化画像ファイルに含まれる画像情報により示される被写体像が電子的に貼り付けられる電子アルバムの編集用画面を表示手段により表示し、前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御しているので、電子アルバムの作成時におけるコメント情報の入力の手間を省くことができる、という効果が得られる。
【発明を実施するための最良の形態】
【００２１】
以下、図面を参照して、本発明の実施の形態について詳細に説明する。
【００２２】
まず、図１を参照して、本実施の形態に係るアルバム作成支援装置１０の構成を説明する。
【００２３】
同図に示すように、本実施の形態に係るアルバム作成支援装置１０は、当該アルバム作成支援装置１０全体の動作を司るＣＰＵ（中央処理装置）２０Ａと、ＣＰＵ２０Ａによる各種プログラムの実行時のワークエリア等として用いられるＲＡＭ２０Ｂと、各種情報を記憶するために用いられるＨＤＤ（ハードディスクドライブ）２０Ｃと、各種情報を入力する際に操作されるキーボード、マウス（ポインティングデバイス）等の操作入力部２０Ｄと、各種情報を表示するための表示部２０Ｅと、後述する外部メモリ２６が装着されて、当該外部メモリ２６内に記憶してある写真画像ファイル（電子化ファイル）を読み出す外部メモリリーダ部２０Ｆと、が備えられている。これら各部は、システムバスＢＵＳを介して電気的に接続されている。すなわち、本実施の形態に係るアルバム作成支援装置１０は、通常のパーソナルコンピュータ（以下、「ＰＣ」という。）により構成されている。
【００２４】
図２に示すように、本実施の形態に係るアルバム作成支援装置１０のＨＤＤ２０Ｃには、アルバムファイル領域４０及びプログラム領域４２が設けられており、アルバムファイル領域４０には後述するアルバムファイルが記憶される一方、プログラム領域４２には後述するアルバム作成支援処理プログラム等のプログラムが記憶されている。
【００２５】
ところで、図１に示すように、本実施の形態に係るデジタルカメラ２２には、撮影を実行する際に押圧操作されるレリーズスイッチ２４Ａと、撮影された被写体像やメニュー画面等を表示するための図示しない液晶ディスプレイ（以下、「ＬＣＤ」という。）と、が備えられている。
【００２６】
また、デジタルカメラ１０は、ＬＣＤにメニュー画面を表示させるときに押圧操作されるメニュースイッチと、それまでの操作内容を確定するときに押圧操作される決定スイッチと、直前の操作内容をキャンセルするときに押圧操作されるキャンセルスイッチ（共に図示省略。）と、が備えられている。
【００２７】
また、本実施の形態に係るデジタルカメラ２２はＥｘｉｆ規格に対応しており、撮影によって得られたデジタル画像データはＥｘｉｆ規格の電子化ファイル（写真画像ファイル）として外部メモリ２６に記憶される。
【００２８】
このように、本実施の形態に係るデジタルカメラ２２は、Ｅｘｉｆ規格に対応しているため、外部メモリ２６に記憶される写真画像ファイル１８は、図３（Ａ）に示すように、スタートコード領域１８Ａ、タグ領域１８Ｂ、サムネイル画像領域１８Ｃ、及び主画像領域１８Ｄが含まれている。ここで、タグ領域１８Ｂには、予め設定された各種情報が記憶されることになる。また、主画像領域１８Ｄには、被写体像を示す画像データが記憶される。
【００２９】
なお、図３（Ｂ）に示すように、本実施の形態に係るデジタルカメラ２２では、タグ領域１８Ｂの予め決定された領域に、被写体像に関するコメント情報がユーザにより記録できるものとされている。
【００３０】
具体的には、レリーズスイッチ２４Ａがユーザによって半押し状態とされたタイミングでＡＥ機能が働いて露出状態が設定された後、ＡＦ機能が働いて合焦制御され、その後、引き続き全押し状態とされたタイミングで、被写体像を示す写真画像ファイルがＥｘｉｆ規格のものとして外部メモリ２６に記憶される。その後、ユーザによりメニュースイッチが押圧操作されることによりＬＣＤに予め定められたメニュー画面が表示される結果、当該メニュー画面を介してコメント情報を入力し、記録することができる。
【００３１】
次に、本実施の形態に係るアルバム作成支援装置１０の作用を説明する。まず、図４を参照して、アルバム作成支援処理を実行する際のアルバム作成支援装置１０の作用を説明する。なお、図４は、ユーザによってアルバム作成支援処理の実行を指示する指示入力が操作入力部２０Ｄを介して行われた際にアルバム作成支援装置１０のＣＰＵ２０Ａによって実行されるアルバム作成支援処理プログラムの処理の流れを示すフローチャートであり、当該プログラムはＨＤＤ２０Ｃのプログラム領域４２に予め記憶されている。また、ここでは、アルバム作成支援装置１０において写真画像ファイルが記憶された外部メモリ２６が外部メモリリーダ部２０Ｆに装着されている場合について説明する。
【００３２】
まず、ステップ１００では、予め定められたアルバム編集画面が表示されるように表示部２０Ｅを制御した後、次のステップ１０２にて所定情報の入力待ちを行う。
【００３３】
なお、図５には、上記ステップ１００の処理によってアルバム作成支援装置１０の表示部２０Ｅに表示されるアルバム編集画面の表示状態例が示されている。同図に示すように、本実施の形態に係るアルバム編集画面では、アルバム５６を構成するページが表示される。また、アルバム編集画面では、アルバム編集時のモードをサイズ固定モード及びサイズ可変モードの何れか１つに設定する際に指定されるモード設定ボタン５０Ａと、写真画像ファイルを読み出す際に指定されるファイル読出ボタン５０Ｂと、当該アルバム編集画面上で編集されたアルバムを登録する際に指定されるアルバム登録ボタン５０Ｃと、本アルバム作成支援処理プログラムを終了する際に指定される終了ボタン５０Ｄとが、複数のボタンとして表示される。
【００３４】
なお、サイズ固定モードとは、アルバム５６に被写体像の表示サイズにかかわらずコメント情報の表示サイズを予め定められたサイズで一定に表示する場合に適用されるモードであり、サイズ可変モードとは、被写体像の表示サイズが大きくなるほどコメント情報の表示サイズを大きく表示する場合に適用されるモードである。
【００３５】
更に、アルバム編集画面には、表示されているアルバムのページを前後に捲るための前ページ送りボタン５０Ｆ１及び次ページ送りボタン５０Ｆ２からなるページ捲りボタン５０Ｆが表示される。
【００３６】
図５に示すようなアルバム編集画面が表示部２０Ｅにより表示されると、ユーザは上記複数のボタンのうち所定の処理に対応するボタンを操作入力部２０Ｄのマウスにてポインティング指定する。これにより上記ステップ１０２が肯定判定となり、ステップ１０４に移行する。
【００３７】
ステップ１０４では、上記ステップ１０２の処理において入力された情報により示されるボタンがモード設定ボタン５０Ａであったか否かを判定し、肯定判定となった場合はステップ１０６に移行する。
【００３８】
ステップ１０６では、予め定められたモード設定画面が表示されるように表示部２０Ｅを制御した後、次のステップ１０８にて所定情報の入力待ちを行う。
【００３９】
なお、図６には、上記ステップ１０６の処理によって、アルバム作成支援装置１０の表示部２０Ｅに表示されるモード設定画面の表示状態例が示されている。同図に示すように、本実施の形態に係るモード設定画面では、サイズ固定モードを適用する際に指定されるサイズ固定モード指定ボタン７０と、サイズ可変モードを適用する際に指定されるサイズ可変モード指定ボタン７４が表示される。
【００４０】
また、モード設定画面では、サイズ固定モードを適用する際にコメント情報の文字サイズを示す情報を入力するための文字サイズ入力部７２が表示される。なお、文字サイズに基づいてコメント情報の表示サイズは決定されるものとされている。
【００４１】
また、モード設定画面では、モードを適用するアルバム５６のページを示す情報を入力するための適用対象ページ入力部７８が表示される。
【００４２】
図６に示されるようなモード設定画面が表示部２０Ｅに表示されるとアルバム作成支援装置１０のユーザは、操作入力部２０Ｄのマウスを介してサイズ固定モード指定ボタン７０及びサイズ可変モード指定ボタン７４の何れか一方を指定すると共に、サイズ固定モード指定ボタン７０を指定した場合は、操作入力部２０Ｄのキーボードを介して文字サイズ入力部７２にコメント情報の文字サイズを示す情報を入力する。そして、操作入力部２０Ｄのキーボードを介して適用対象ページ入力部７８にモードを適用するページを示す情報を入力した後、当該画面の最下に表示されている設定ボタン７６を操作入力部２０Ｄのマウスにてポインティング指定する。これにより上記ステップ１０８が肯定判定となり、ステップ１１０に移行する。
【００４３】
ステップ１１０では、上記ステップ１０８の処理において適用対象ページ入力部７８に入力された情報により示されるページが同処理において指定されたモードとなるように、当該ページを設定した後、ステップ１０２に戻る。
【００４４】
一方、上記ステップ１０４において否定判定となった場合はステップ１１２に移行し、上記ステップ１０２の処理において入力された情報により示されるボタンがファイル読出ボタン５０Ｂであったか否かを判定し、肯定判定となった場合はステップ１１４に移行する。
【００４５】
ステップ１１４では、予め定められたファイル読出画面が表示されるように表示部２０Ｅを制御した後、次のステップ１１６にて所定情報の入力待ちを行う。
【００４６】
なお、図７には、上記ステップ１１４の処理によって、アルバム作成支援装置１０の表示部２０Ｅに表示されるファイル読出画面の表示状態例が示されている。同図に示すように、本実施の形態に係るファイル読出画面には、外部メモリ２６に記憶されている写真画像ファイルのファイル名を一覧表示するファイル名表示部６０が表示されている。
【００４７】
図７に示されるようなファイル読出画面が表示部２０Ｅに表示されるとアルバム作成支援装置１０のユーザは、操作入力部２０Ｄのマウスを介してアルバム５６に表示する被写体像を示す画像情報を含んだ写真画像ファイルをファイル名表示部６０に表示される写真画像ファイルのファイル名から指定した後、当該画面の最下に表示されている読出ボタン６２を操作入力部２０Ｄのマウスにてポインティング指定する。これにより上記ステップ１１６が肯定判定となり、ステップ１１８に移行する。
【００４８】
ステップ１１８では、被写体を表示する対象とされるページ（以下では、「表示対象ページ」ともいう。）がサイズ固定モードであるか否かについて判定し、肯定判定となった場合はステップ１２０に移行する。
【００４９】
ステップ１２０では、上記ステップ１１６の処理において入力された情報により示されるファイル名の写真画像ファイルを外部メモリ２６から読み出し、当該写真画像ファイルに含まれる画像情報により示される被写体像がアルバムを構成する貼付対象ページ上の所定位置に表示されると共に、当該写真画像ファイルに含まれるコメント情報が被写体像８０（図８も参照。）とは異なり、かつ被写体像８０の近傍の位置のテキスト枠８２に、被写体像８０の表示サイズにかかわらず予め定められた表示サイズで表示されるように表示部２０Ｅを制御した後、ステップ１２４に移行する。なお、図８には、アルバム編集画面上のアルバムにサイズ固定モードで被写体像及びコメント情報が表示された際の表示状態例が示されている。
【００５０】
一方、上記ステップ１１８の処理において否定判定となった場合はステップ１２２に移行し、上記ステップ１１６の処理において入力された情報により示されるファイル名の写真画像ファイルを外部メモリ２６から読み出し、当該写真画像ファイルに含まれる画像情報により示される被写体像がアルバムを構成する貼付対象ページ上の所定位置に表示されると共に、当該写真画像ファイルに含まれるコメント情報が、被写体像８０（図９（Ｂ）も参照。）とは異なり、かつ被写体像８０の近傍の位置のテキスト枠８２に、被写体像８０の表示サイズが大きくなるほど大きくなるように表示部２０Ｅを制御した後、ステップ１２４に移行する。なお、図９（Ｂ）には、表示された被写体像及びコメント情報が図８に示されるものである場合のサイズ可変モードにおける被写体像及びコメントの表示状態例が示されている。なお、対比のために図８と同一の図を図９（Ａ）として載せておく。
【００５１】
ステップ１２４では、ステップ１２０ないしステップ１２２の処理においてアルバムに表示されたコメント情報のフォントサイズ、コメント情報の表示色、及びコメント情報の表示サイズの少なくとも１つに対して、ユーザによる変更を指示する指示入力が操作入力部２０Ｄを介して行われた際に、当該指示入力が表示部２０Ｅの表示状態に反映されるように表示部２０Ｅを制御した後、ステップ１０２に戻る。
【００５２】
一方、上記ステップ１１２において否定判定となった場合はステップ１２６に移行し、上記ステップ１０２の処理において入力された情報により示されるボタンがアルバム登録ボタン５０Ｃであったか否かを判定し、肯定判定となった場合はステップ１２８に移行する。
【００５３】
ステップ１２８では、編集後のアルバム編集画面が再現できる情報をアルバムファイルとしてアルバム作成支援装置１０のＨＤＤ２０Ｃのアルバムファイル領域４０に記憶した後、ステップ１０２に移行する。
【００５４】
一方、上記ステップ１２６において否定判定となった場合はステップ１３０に移行し、上記ステップ１０２の処理において入力された情報により示されるボタンが終了ボタン５０Ｄであったか否かを判定し、肯定判定となった場合は本アルバム作成支援処理プログラムを終了する一方、否定判定となった場合はステップ１０２に戻る。
【００５５】
以上詳細に説明したように、上記実施の形態では、撮影によって得られた画像情報と当該画像情報により示される被写体像に関するコメント情報を含む電子化画像ファイルを予め記憶手段（ここでは、外部メモリ２６。）により記憶し、前記電子化画像ファイルに含まれる画像情報により示される被写体像が電子的に貼り付けられる電子アルバムの編集用画面を表示手段（ここでは、表示部２０Ｅ。）により表示し、前記編集用画面に前記被写体像を表示すると共に、当該被写体像を示す前記画像情報と共に前記電子化画像ファイルに含まれている前記コメント情報を当該被写体像とは異なる位置で、かつ当該被写体像の近傍に表示するように前記表示手段を制御しているので、電子アルバムの作成時におけるコメント情報の入力の手間を省くことができる。
【００５６】
また、上記実施の形態では、前記被写体像の表示サイズが大きくなるほど前記コメント情報の表示サイズを大きくするサイズ可変モードと、前記被写体像の表示サイズにかかわらず前記コメント情報の表示サイズを予め定められたサイズで一定とするサイズ固定モードの何れか一方を選択的に適用して前記被写体像及び前記コメント情報を表示するように前記表示手段を制御しているので、ユーザは何れかのモードでコメント情報をアルバムに貼り付けることができる。
【００５７】
また、上記実施の形態では、前記サイズ可変モードと前記サイズ固定モードの何れを適用するかを示す選択情報を入力する入力手段（ここでは、操作入力部２０Ｄ。）を更に備え、前記入力手段によって入力された選択情報により示されるモードを適用して前記被写体像及び前記コメント情報を表示するように前記表示手段を制御しているので、ユーザはモードを任意に選択することができる。
【００５８】
前記入力手段は、前記表示手段により表示されたコメント情報に対する変更指示を更に入力し、前記コメント情報を前記変更指示に応じて変更して表示するように前記表示手段を制御しているので、ユーザは任意にコメント情報を変更できる。
【００５９】
また、上記実施の形態では、前記変更指示による変更対象を、前記コメント情報のフォントサイズ、前記コメント情報の表示色、及び前記コメント情報の表示サイズの少なくとも１つとしているので、コメント情報をユーザの好みに変更することができる。
【００６０】
なお、本実施の形態では、編集後のアルバム編集画面が再現できる情報を記憶する場合について説明したが、本発明はこれに限定されるものではなく、例えば、編集後のアルバム編集画面が再現できる情報を圧縮して記憶する形態とすることもできる。この場合も、本実施の形態と同様の効果を奏することができる。
【００６１】
その他、上記実施の形態で示したアルバム作成支援装置１０のハードウェア構成（図１参照。）は一例であり、必要に応じて構成要素を追加したり、不要な構成要素を削除したりすることができることは言うまでもない。
【００６２】
また、上記実施の形態で示したアルバム作成支援装置１０のＨＤＤ２０Ｃの主な記憶内容（図２参照。）及び写真画像ファイルの構成（図３参照。）も一例であり、必要に応じてデータを追加したり、不要なデータを削除したりすることができることは言うまでもない。
【００６３】
また、上記実施の形態で示したプログラムの処理の流れ（図４参照。）も一例であり、必要に応じて処理手順を変更したり、処理内容を変更したり、不要な処理を削除したりすることができることは言うまでもない。
【００６４】
更に、上記実施の形態で示した表示画面の表示状態（図５，図６，図７，図８，図９参照。）も一例であり、必要に応じて表示項目を追加したり、不要な表示項目を削除したりすることができるのは言うまでもない。
【図面の簡単な説明】
【００６５】
【図１】実施の形態に係るアルバム作成支援装置の全体構成を示す構成図である。
【図２】実施の形態に係るアルバム作成支援装置に備えられたＨＤＤの主な記憶内容を示す模式図である。
【図３】実施の形態に係る写真画像ファイルの構成を示す模式図である。
【図４】実施の形態に係るアルバム作成支援処理プログラムの処理の流れを示すフローチャートである。
【図５】実施の形態に係るアルバム編集画面の表示状態例を示す概略図である。
【図６】実施の形態に係るモード設定画面の表示状態例を示す概略図である。
【図７】実施の形態に係るファイル読出画面の表示状態例を示す概略図である。
【図８】実施の形態に係るアルバムの表示状態例を示す概略図である。
【図９】実施の形態に係るアルバムの表示状態例を示す概略図である。
【符号の説明】
【００６６】
１０    アルバム作成支援装置
１８    写真画像ファイル
１８Ｂ  タグ領域
２０Ａ  ＣＰＵ（制御手段）
２０Ｄ  操作入力部（入力手段）
２０Ｅ  表示部（表示手段）
２６    外部メモリ（記憶手段）
【図１】
2007102703.tif 000003
【図２】
2007102703.tif 000004
【図３】
2007102703.tif 000005
【図４】
2007102703.tif 000006
【図５】
2007102703.tif 000007
【図６】
2007102703.tif 000008
【図７】
2007102703.tif 000009
【図８】
2007102703.tif 000010
【図９】
2007102703.tif 000011